【手続補正書】
【提出日】令和2年6月22日(2020.6.22)
【手続補正１】
【補正対象書類名】明細書
【補正対象項目名】００４２
【補正方法】変更
【補正の内容】
【００４２】
特許請求される主題の趣旨および範囲から逸脱することなく、記載した実施形態に対して様々な修正および変更をなし得ることは、当業者には明らかである。したがって、添付の請求項およびそれらの請求項の等価物の範囲に含まれるならば、本明細書は、様々な記載した実施形態の修正および変更を包含することが意図される。
以下、本発明の好ましい実施形態を項分け記載する。
実施形態１
ガスコンデンセートを、プロピレンを含む生成物流に転化する方法であって、
ダウンフロー高過酷度流動接触分解反応器（ＨＳＦＣＣ）の上部領域に少なくとも５０重量％のパラフィンを含むガスコンデンセートを供給することと、
約５：１〜約４０：１の触媒対ガスコンデンセート重量比によって特徴付けられる量でダウンフローＨＳＦＣＣ反応器の上部領域に触媒を供給することであって、前記触媒は、０．０１〜０．２μｍの平均粒径、２０〜４０のＳｉ／Ａｌモル比、および少なくとも２０ｃｍ２／ｇの表面積を有するナノＺＳＭ−５ゼオライト触媒を含む、触媒を供給することと、
約５００℃〜約７００℃の反応温度において触媒の存在下で前記ガスコンデンセートを分解してプロピレンを含む前記生成物流を生成することと、
を含む、方法。
実施形態２
前記ダウンフローＨＳＦＣＣ反応器の前記上部領域に蒸気を添加することをさらに含む、実施形態１に記載の方法。
実施形態３
前記分解が、約１〜２ａｔｍの圧力で起こって、プロピレンを含む前記生成物流を生成する、実施形態１〜２のいずれかに記載の方法。
実施形態４
前記ガスコンデンセートが、０．１重量％未満のオレフィンを含む、実施形態１〜３のいずれかに記載の方法。
実施形態５
前記Ｓｉ／Ａｌ原子比が、２５〜３５である、実施形態１〜４のいずれかに記載の方法。
実施形態６
前記生成物流が、少なくとも２０重量％収率のプロピレンを含む、実施形態１〜５のいずれかに記載の方法。
実施形態７
前記生成物流が、少なくとも１０重量％収率のエチレンを含む、実施形態１〜６のいずれかに記載の方法。
実施形態８
前記ナノＺＳＭ−５触媒が、リンで含浸される、実施形態１〜７のいずれかに記載の方法。
実施形態９
前記触媒が、１０〜５０重量％のナノＺＳＭ−５触媒を含む、実施形態１〜８のいずれかに記載の方法。
実施形態１０
前記触媒が、ＵＳＹ（超安定Ｙゼオライト）を含む、実施形態１〜９のいずれかに記載の方法。
実施形態１１
前記ＵＳＹ触媒が、ランタンで含浸される、実施形態１０に記載の方法。
実施形態１２
前記触媒が、１０〜５０重量％のＵＳＹ触媒を含む、実施形態１〜１１のいずれかに記載の方法。
実施形態１３
前記触媒が、アルミナ、粘土、およびシリカのうちの１つ以上を含む、実施形態１〜１２のいずれかに記載の方法。
実施形態１４
前記粘土が、カオリン、モンモリロナイト、ハロイサイト、およびベントナイトから選択される１つ以上の成分を含む、実施形態１３に記載の方法。
実施形態１５
前記触媒が、３０〜７０重量％の粘土を含む、実施形態１〜１４のいずれかに記載の方法。
実施形態１６
前記触媒が、２〜２０重量％のアルミナを含む、実施形態１〜１５のいずれかに記載の方法。
実施形態１７
前記触媒が、０．１〜１０重量％のシリカを含む、実施形態１〜１６のいずれかに記載の方法。
実施形態１８
前記反応温度が、約５５０℃〜約６３０℃である、実施形態１〜１７のいずれかに記載の方法。
実施形態１９
前記ガスコンデンセートが、０．７秒〜１０秒のダウンフロー流動接触分解反応器における滞留時間を有する、実施形態１〜１８のいずれかに記載の方法。
実施形態２０
前記触媒対ガスコンデンセートの比が、５：１〜約１０：１である、実施形態１〜１９のいずれかに記載の方法。
実施形態２１
前記触媒が、ナノＺＳＭ−５触媒、ＵＳＹ触媒、アルミナ、粘土、およびシリカを含む、実施形態１〜２０のいずれかに記載の方法。
実施形態２２
前記触媒が、１０〜５０重量％のナノＺＳＭ−５触媒、１０〜５０重量％のＵＳＹ触媒、２〜２０重量％のアルミナ、３０〜７０重量％の粘土、および０．１〜１０重量％のシリカを含む、実施形態１〜２１のいずれかに記載の方法。
実施形態２３
前記ガスコンデンセートが、ナフテンおよび芳香族化合物を含む、実施形態１〜２２のいずれかに記載の方法。
実施形態２４
前記ガスコンデンセートが、６５重量％のパラフィン、０重量％のオレフィン、２１重量％のナフテン、および１５重量％の芳香族化合物を含む、実施形態１〜２３のいずれかに記載の方法。
実施形態２５
前記ガスコンデンセートが、真沸点分析に従って測定すると、少なくとも０℃の初期沸点および少なくとも４５０℃の最終沸点を有する、実施形態１〜２４のいずれかに記載の方法。
実施形態２６
前記ナノＺＳＭ−５ゼオライトが、少なくとも３０ｃｍ２／ｇの表面積を有する、実施形態１〜２５のいずれかに記載の方法。
実施形態２７
前記ガスコンデンセートが、ＡＳＴＭ  ２６９９またはＡＳＴＭ  ２７００によると７０〜７５のリサーチ法オクタン価（ＲＯＮ）を有する、実施形態１〜２６のいずれかに記載の方法。
【手続補正２】
【補正対象書類名】特許請求の範囲
【補正対象項目名】全文
【補正方法】変更
【補正の内容】
【特許請求の範囲】
【請求項１】
ガスコンデンセートを、プロピレンを含む生成物流に転化する方法であって、
ダウンフロー高過酷度流動接触分解反応器（ＨＳＦＣＣ）の上部領域に少なくとも５０重量％のパラフィンを含むガスコンデンセートを供給することと、
約５：１〜約４０：１の触媒対ガスコンデンセート重量比によって特徴付けられる量でダウンフローＨＳＦＣＣ反応器の上部領域に触媒を供給することであって、前記触媒は、０．０１〜０．２μｍの平均粒径、２０〜４０のＳｉ／Ａｌモル比、および少なくとも２０ｃｍ２／ｇの表面積を有するナノＺＳＭ−５ゼオライト触媒を含む、触媒を供給することと、
約５００℃〜約７００℃の反応温度において触媒の存在下で前記ガスコンデンセートを分解してプロピレンを含む前記生成物流を生成することと、
を含む、方法。
【請求項２】
前記ダウンフローＨＳＦＣＣ反応器の前記上部領域に蒸気を添加することをさらに含む、請求項１に記載の方法。
【請求項３】
前記分解が、約１〜２ａｔｍ（約１０１〜２０２ｋＰａ）の圧力で起こって、プロピレンを含む前記生成物流を生成する、請求項１に記載の方法。
【請求項４】
前記ガスコンデンセートが、０．１重量％未満のオレフィンを含む、請求項１に記載の方法。
【請求項５】
前記Ｓｉ／Ａｌ原子比が、２５〜３５である、請求項１に記載の方法。
【請求項６】
前記生成物流が、少なくとも２０重量％収率のプロピレンを含む、請求項１に記載の方法。
【請求項７】
前記生成物流が、少なくとも１０重量％収率のエチレンを含む、請求項１に記載の方法。
【請求項８】
前記ナノＺＳＭ−５触媒が、リンで含浸される、請求項１に記載の方法。
【請求項９】
前記触媒が、１０〜５０重量％のナノＺＳＭ−５触媒を含む、請求項１に記載の方法。
【請求項１０】
前記触媒が、ＵＳＹ（超安定Ｙゼオライト）を含む、請求項１に記載の方法。
【請求項１１】
前記ガスコンデンセートが、０．７秒〜１０秒のダウンフロー流動接触分解反応器における滞留時間を有する、請求項１に記載の方法。
【請求項１２】
前記ガスコンデンセートが、ナフテンおよび芳香族化合物を含む、請求項１に記載の方法。
【請求項１３】
前記ガスコンデンセートが、６５重量％のパラフィン、０重量％のオレフィン、２１重量％のナフテン、および１５重量％の芳香族化合物を含む、請求項１２に記載の方法。
【請求項１４】
前記ガスコンデンセートが、真沸点分析に従って測定すると、少なくとも０℃の初期沸点および少なくとも４５０℃の最終沸点を有する、請求項１に記載の方法。
【請求項１５】
前記ガスコンデンセートが、ＡＳＴＭ  ２６９９またはＡＳＴＭ  ２７００によると７０〜７５のリサーチ法オクタン価（ＲＯＮ）を有する、請求項１に記載の方法。